(57)【要約】【課題】被収容部にラップを容易に被せることができるカバー、当該カバーに収容される被収容部及びこれらを備える物品を提供する。【解決手段】カバー３は、タイマー本体２を収容するための筒状の収容部３１と、収容部３１の外周面の一部を覆うように収容部３１の外周面に設けられる環状の外套部３２と、を備える。そして、外套部３２は、その一端３２ａが収容部３１の外周面に接続されるとともに、他端３２ｂが収容部３１の外周面から離間するように構成され、収容部３１の外周面と外套部３２の内周面との間には、環状の溝部３４が形成される。【選択図】図４
2020202291.tif 000002
【特許請求の範囲】
【請求項１】
被収容部の少なくとも一部を収容するための筒状の収容部と、
前記収容部の外周面の少なくとも一部を覆うように前記収容部の外周面に設けられる外套部と、を備え、
前記外套部は、その一端が前記収容部の外周面に接続されるとともに、他端が前記収容部の外周面から離間するように構成され、
前記収容部の外周面と前記外套部の内周面との間には、溝部が形成される、
カバー。
【請求項２】
請求項１に記載のカバーであって、
前記外套部は、可撓性を有し、その一端を中心として反転可能に設けられる、
カバー。
【請求項３】
請求項２に記載のカバーであって、
前記外套部の一端は、前記収容部の一端において接続される、
カバー。
【請求項４】
請求項２又は３に記載のカバーであって、
前記外套部は、前記収容部の外周面の１／２以上を覆うように構成される、
カバー。
【請求項５】
請求項２から４のいずれか１項に記載のカバーであって、
前記外套部は、前記収容部の高さ方向に沿う断面視にて外側に膨らむ円弧状に設けられる、
カバー。
【請求項６】
請求項１から５のいずれか１項に記載のカバーであって、
前記カバーは、シリコーン樹脂からなる、
カバー。
【請求項７】
請求項１から６のいずれか１項に記載のカバーと、前記カバーの前記収容部に収容される被収容部と、を備える物品であって、
前記被収容部は、
前記収容部により覆われない二つの端面と、
前記収容部により覆われる側面と、を有する、
物品。
【請求項８】
請求項７に記載の物品であって、
前記被収容部は、電池を用いて作動する電気機器からなり、
前記被収容部の一方の端面には、操作部が設けられ、
前記収容部は、その一端が前記操作部の先端面と面一となるように設けられる、
物品。
【請求項９】
請求項７又は８に記載の物品であって、
前記被収容部の他方の端面には、磁石が設けられ、
前記外套部は、その他端が前記磁石の吸着端面と同じ高さに位置するように設けられる、
物品。
【請求項１０】
請求項７から９のいずれか１項に記載の物品であって、
前記被収容部は、電池を用いて作動する電気機器からなり、
前記被収容部の前記側面には、開閉可能な電池蓋が設けられる、
物品。
【請求項１１】
環状の収容部と、前記収容部の内周面に設けられる嵌合部と、を備えるカバーに着脱可能に収容される被収容部であって、
前記収容部により覆われない二つの端面と、
前記収容部により覆われる側面と、
前記嵌合部に嵌合する被嵌合部と、を備える、
被収容部。
【請求項１２】
請求項１１に記載の被収容部であって、
前記被嵌合部は、前記端面と前記側面との境目に形成される第１段差部を有する、
被収容部。
【請求項１３】
請求項１１又は１２に記載の被収容部であって、
前記端面のいずれか一方には、当該端面の外縁よりも内側に位置する磁石が設けられ、
前記被嵌合部は、当該端面の外縁と前記磁石との高低差により形成される第２段差部を有する、
被収容部。
【発明の詳細な説明】
【技術分野】
【０００１】
本発明は、カバー、被収容部及びこれらを備える物品に関する。
【背景技術】
【０００２】
特許文献１には、ケース本体内の回路基板にリチウムイオン電池を電気的に接続するとともに取り外し不能に固定するタイマーが開示されている。
【先行技術文献】
【特許文献】
【０００３】
【特許文献１】実用新案登録第３１７６３９４号
【発明の概要】
【発明が解決しようとする課題】
【０００４】
特許文献１に記載のタイマーでは、ケース本体の全体を一体構造にしているため、ケース本体の密閉性及び防水機能が向上する。
【０００５】
しかしながら、このようなタイマーを油が飛散しやすい飲食店のような場所等で使用すると、タイマーの表面に油汚れが付着する問題がある。そこで、タイマーをその表面にラップフィルム（以下、単にラップと称する。）を巻き付けた状態で使用することにより、タイマー本体に油が付着することを回避する場合がある。
【０００６】
ところが、タイマーにラップを適切に巻き付けるには一定の困難性がある。例えば、ラップの端部がタイマーに適切に保持されないことでラップがずれてしまい、タイマーの視認性が損なわれる場合がある。
【０００７】
このような事情に鑑み、本発明は、例えばタイマーのような被収容部を収容して、被収容部にラップを容易に被せることができるカバー、当該カバーに収容される被収容部及びこれらを備える物品を提供することを目的とする。
【課題を解決するための手段】
【０００８】
本発明のある一つの態様によれば、被収容部の少なくとも一部を収容するための筒状の収容部と、前記収容部の外周面の少なくとも一部を覆うように前記収容部の外周面に設けられる外套部と、を備え、前記外套部は、その一端が前記収容部の外周面に接続されるとともに、他端が前記収容部の外周面から離間するように構成され、前記収容部の外周面と前記外套部の内周面との間には、溝部が形成される、カバーが提供される。
【０００９】
また、本発明の他の態様によれば、環状の収容部と、前記収容部の内周面に設けられる嵌合部と、を備えるカバーに着脱可能に収容される被収容部であって、前記収容部により覆われる側面と、前記収容部により覆われない二つの端面と、前記嵌合部に嵌合する被嵌合部と、を備える、被収容部が提供される。
【発明の効果】
【００１０】
これらの態様によれば、カバーに備わる溝部にラップの端部を保持することができるので、被収容部にラップを容易に被せることができる。
【図面の簡単な説明】
【００１１】
【図１】実施形態に係るタイマーの正面図である。
【図２】実施形態に係るタイマーの背面図である。
【図３】実施形態に係るタイマーの側面図である。
【図４】図１におけるＩＶ−ＩＶ線に沿う断面図である。
【図５】外套部が通常状態にあるタイマーを示す断面図である。
【図６】外套部が反転状態にあるタイマーを示す断面図である。
【図７】ラップが載置された外套部が反転状態にあるタイマーを示す断面図である。
【図８】正面がラップで貼り付けられた状態のタイマーを示す断面図である。
【図９】第１変形例に係るタイマーの断面図である。
【図１０】第２変形例に係るタイマーの正面図である。
【図１１】第３変形例に係るタイマーの正面図である。
【図１２】第４変形例に係るタイマーの正面図である。
【図１３】参考例１に係るカバー付きタイマーの意匠を示す正投影図法による６面図である。
【図１４】図１３（ａ）におけるＡ−Ａ線に沿う拡大断面図である。
【図１５Ａ】参考例１に係るカバー付きタイマーの意匠の正面斜視図である。
【図１５Ｂ】参考例１に係るカバー付きタイマーの意匠の背面斜視図である。
【図１６Ａ】参考例１に係るカバー付きタイマーのカバーの意匠の正面斜視図である。
【図１６Ｂ】参考例１に係るカバー付きタイマーのカバーの意匠の背面斜視図である。
【図１７Ａ】参考例１に係るカバー付きタイマーのタイマー本体の意匠の正面斜視図である。
【図１７Ｂ】参考例１に係るカバー付きタイマーのタイマー本体の意匠の背面斜視図である。
【図１８】参考例２に係るカバー付きタイマーの意匠を示す正投影図法による６面図である。
【図１９】参考例２に係るカバー付きタイマーの意匠を示す斜視図である。
【発明を実施するための形態】
【００１２】
以下、添付図面等を参照しながら本発明の実施形態について説明する。
【００１３】
（タイマーの構成）
以下、主に図１から図４を参照しながら、実施形態に係るタイマー１の構成について説明する。
【００１４】
図１は、実施形態に係るタイマー１の正面図である。図２は、本発明の実施形態に係るタイマー１の背面図である。図３は、本発明の実施形態に係るタイマー１の側面図である。図４は、図１におけるＩＶ−ＩＶ線に沿う断面図である。なお、図４において、矢印Ｚに沿う方向を高さ方向とする。
【００１５】
図１から図５に示すように、物品としてのタイマー１は、被収容部としてのタイマー本体２と、タイマー本体２を着脱可能に収容するカバー３と、を備える。タイマー１は、例えば、飲食店のような油汚れが付着しやすい場所等で使用される。使用時において、タイマー１の正面は、特にタイマー本体２に油が付着することを回避するために、ラップ４（図８参照）のような透視かつ使い捨て可能なフィルム状の部材が貼り付けられる。このため、タイマー本体２の正面に油汚れが付着することが防止される。さらに、防水加工が施されたタイマーを水洗いする場合に比べ、ラップ４を取り替えるだけで、タイマー１を清潔な状態で使用することができる。
【００１６】
本実施形態では、被収容部は、電池を用いて作動する電気機器としてのタイマー本体２により構成されているが、これに限定されるものではなく、例えば、湿度計又は温度計等のような他の計器類により構成されてもよいし、茶碗、皿又はボウル等のような食器類（非電気機器）により構成されてもよい。あるいは、被収容部は、スマホ又はタブレット等の携帯端末（電気機器）により構成されてもよい。
【００１７】
図１から図４に示すように、タイマー本体２は、正面視にて略矩形（略正方形）をなす電気機器である。タイマー本体２は、正面視にてその角がＲ面をなすように構成される。また、タイマー本体２は、カバー３に収容された状態で、カバー３により覆われない部分である略正方形の正面２１及び略正方形の背面２２と、カバー３により覆われる側面２３（図４参照）と、カバー３の後述する嵌合部３３に嵌合する被嵌合部２４と、を主に備える。
【００１８】
また、タイマー本体２の一方の端面としての正面２１には、タイム等を表示するための表示部２５と、タイマー設定等の各種操作を行うための操作部２６と、が設けられる。さらに、図示しないが、タイマー本体２は、音で時間の経過をユーザに報知する報知部としてのスピーカを備える。
【００１９】
表示部２５は、正面視にて矩形状の液晶表示パネルにより構成されているが、これに限定されるものではなく、例えば、楕円形状の液晶表示パネル又は有機ＥＬ表示パネルにより構成されてもよい。
【００２０】
操作部２６は、表示部２５を両側（図１の上側及び下側）から挟み込むように設けられる複数の押下可能な操作ボタン２６ａ，２６ｂ，２６ｃを有する。操作ボタン２６ａ及び操作ボタン２６ｂは、それぞれ、所定の秒（Ｓｅｃｏｎｄ）及び所定の分（Ｍｉｎｕｔｅ）を選択するための選択ボタンである。一方、操作ボタン２６ｃは、開始（Ｓｔａｒｔ）又は停止（Ｓｔｏｐ）のタイミングを決定するための決定ボタンである。非押下時において、操作ボタン２６ａ，２６ｂ，２６ｃの先端面としての正面は、互いに面一となるように構成される。
【００２１】
ユーザが操作ボタン２６ａ及び操作ボタン２６ｂにより時間を選択設定した後に、操作ボタン２６ｃを押下すると、例えば、タイマー本体２の背面２２に設置されたスピーカは、選択設定された時間が経過したことを音でユーザに報知する。
【００２２】
なお、本実施形態では、操作部２６は、操作ボタン２６ａ，２６ｂ，２６ｃにより構成されているが、これに限定されるものではなく、例えば、タッチパネルにより構成されてもよいし、タッチパネルと操作ボタンとの組み合わせにより構成されてもよい。
【００２３】
図２に示すように、タイマー本体２の他方の端面としての背面２２には、背面２２の外縁よりも内側に位置する吸着用の磁石２７が設けられる。磁石２７は、背面２２に取り付けられる取付端面２７ａと、取付端面２７ａとは反対の面である吸着端面２７ｂと、を有する。そして、磁石２７の吸着端面２７ｂによりタイマー１を金属製の壁等に吸着させて使用することができる。
【００２４】
図４に示すように、タイマー本体２の側面２３は、正面２１から背面２２に向かって内側（中心側）に傾斜するように設けられる。すなわち、正面２１は、その面積が背面２２の面積よりも大きい。換言すれば、側面２３の形状は、正面２１側から背面２２側に向かって先細るテーパ形状である。
【００２５】
側面２３には、スライドすることにより開閉可能な電池蓋（図示しない）が設けられる。このため、カバー３の収容部３１が側面２３に設けられる電池蓋を覆うことにより、電池蓋の密閉性を向上させることができ、電池蓋から浸水することが防止される。
【００２６】
正面２１の外縁と側面２３の正面２１側の端部との境目には、第１段差部としての環状（具体的には、略正方形環状）の段差部２８が形成される。なお、段差部２８は、被嵌合部２４を構成する。本実施形態では、段差部２８は、環状をなしているが、これに限定されるものではなく、例えば、正面２１の外縁上に所定の間隔を空けて形成される複数の段差部であってもよい。
【００２７】
背面２２の外縁には、環状（具体的には、略正方形環状）の凹部２９が形成される。なお、凹部２９は、被嵌合部２４を構成する。本実施形態では、凹部２９は、連続する環状の溝を構成しているが、これに限定されるものではなく、例えば、背面２２の外縁上に所定の間隔を空けて形成される複数の凹部であってもよい。
【００２８】
被嵌合部２４は、環状の段差部２８及び環状の凹部２９を有する以外に、環状の段差部２８及び環状の凹部２９の間に位置するように側面２３に形成される環状の溝部３０を有する。溝部３０は、収容部３１の内周面に設けられるリブ３７に嵌合する。これにより、不本意によるタイマー本体２とカバー３との分離が防止される。なお、被嵌合部２４は、溝部３０を省略してもよい。この場合、嵌合部３３は、溝部３０に対応するリブ３７を有しない。
【００２９】
ただし、本実施形態では、被嵌合部２４は、正面２１に形成される段差部２８及び背面２２に形成される凹部２９を有しているが、これに限定されるものではなく、例えば、正面２１及び背面２２の両方に形成される二つの段差部２８又は二つの凹部２９を有してもよいし、正面２１に形成される凹部２９及び背面２２に形成される段差部２８を有してもよい。
【００３０】
正面２１及び背面２２の両方に段差部２８が形成される場合、収容部３１の正面側の端部である一端３１ａ及び収容部３１の背面側の端部である他端３１ｂの両方には、段差部２８に嵌合する環状のリブ３５が設けられる。また、正面２１及び背面２２の両方に凹部２９が形成される場合、収容部３１の一端３１ａ及び他端３１ｂの両方には、凹部２９に嵌合する環状の返し部３６が設けられる。さらに、正面２１及び背面２２にそれぞれ凹部２９及び段差部２８が形成される場合、収容部３１の一端３１ａ及び他端３１ｂには、それぞれ凹部２９に嵌合する環状の返し部３６及び段差部２８に嵌合する環状のリブ３５が設けられる。
【００３１】
図１に示すように、カバー３は、正面視にて略正方形環状をなす。カバー３は、可撓性を有するシリコーン樹脂からなる。このように、カバー３は、可撓性を有し、柔軟に変形することができるので、カバー３に対するタイマー本体２の着脱を行いやすくなる。そして、カバー３は、シリコーン樹脂からなるため、カバー３の全体を容易に洗うことができ、食材等に触れる可能性がある場所でも安心して使用することができる。また、一つのタイマー本体２に対して複数のカバー３があれば、カバー３を交換してタイマー本体２に装着することができる。そして、交換により取り外されたカバー３を気軽に水洗いすることができる。
【００３２】
図１から図４に示すように、カバー３は、タイマー本体２を収容するための筒状（略正方形筒状）の収容部３１と、収容部３１の外周面の一部を覆うように収容部３１の外周面に設けられる環状（具体的には、略正方形環状）の外套部３２と、収容部３１の内周面に設けられタイマー本体２の被嵌合部２４に嵌合する嵌合部３３と、を備える。なお、ここでは、筒状は、幅に対して高さが小さい環状を含む。また、環状は、円環状だけでなく、角環状を含む。さらに、カバー３の収容部３１、外套部３２及び嵌合部３３は、一体成形される。
【００３３】
収容部３１の少なくとも内周面は、タイマー本体２の側面２３に対応して、一端３１ａ（図４の上端）から他端３１ｂ（図４の下端）に向かって内側に傾斜するように設けられる。これにより、収容部３１に収容されるタイマー本体２が、収容部３１の他端３１ｂ側から抜けにくくなる。また、タイマー本体２は、その背面２２を収容部３１の一端３１ａから挿入させて収容部３１に収容される。収容部３１は、タイマー本体２の正面２１及び背面２２を覆わずに、タイマー本体２の側面２３を覆うように設けられる。このように、タイマー本体２の正面２１だけでなく、タイマー本体２の背面２２も収容部３１に覆われていないので、磁石２７が露出し、磁石２７の吸着効果が高くなる。
【００３４】
また、本実施形態では、収容部３１は、その正面側の端部である一端３１ａが非押下時における操作ボタン２６ａ，２６ｂ，２６ｃの先端面と面一となるように設けられている。このように、非押下時における操作ボタン２６ａ，２６ｂ，２６ｃの先端面に対する収容部３１の一端３１ａの高さを調整することにより、タイマー１の正面をラップ４（図８参照）で覆うときに、操作ボタン２６ａ，２６ｂ，２６ｃがラップ４に押されて、タイマー本体２が誤操作されることを防止することができる。さらに、タイマー１の正面がラップ４で覆われた状態において、タイマー本体２の操作性が担保される。なお、タイマー本体２が誤操作されない観点のみから、収容部３１の一端３１ａを、非押下時における操作ボタン２６ａ，２６ｂ，２６ｃの先端面よりも高くしてもよい。
【００３５】
外套部３２は、その一端３２ａが収容部３１の外周面に接続され、その他端３２ｂにおいて収容部３１の外周面から離間する。具体的には、外套部３２は、その一端３２ａが収容部３１の一端３１ａにおいて接続される。これにより、ラップ４と外套部３２との間に段差を生じさせることなく、タイマー１の正面をラップ４で綺麗に貼り付けることができる。
【００３６】
また、本実施形態では、外套部３２の一端３２ａと収容部３１の一端３１ａとが接続される位置は、側面２３において一致しているが、これに限定されるものではなく、ラップ４の巻きやすさ又はデザイン性等を考慮して適宜変更されてもよい。
【００３７】
そして、収容部３１の外周面と外套部３２の内周面との間には、環状（具体的には、略正方形環状）の空間である溝部３４が形成される。溝部３４は、タイマー１の正面を覆うラップ４の端部を収容するための収容空間として機能する。ラップ４をタイマー１の正面に貼り付ける際に、ラップ４の端部を溝部３４に収容することにより、ラップ４の端部が溝部３４に保持されてずれにくくなる。したがって、タイマー１の正面に皺が生じにくくなるので、ラップ４によりタイマー本体２の視認性が損なわれることを抑制することができる。さらに、ラップ４の端部を溝部３４に収容しない場合に比べ、ラップ４の端部を保持するためにラップ４を巻き付ける必要がないので、ラップ４の巻き付けによってタイマー１の美観性が損なわれることを防止することができる。
【００３８】
また、ラップ４は、タイマー１の全体ではなく、タイマー１の正面のみを覆っているので、従来のようにタイマー全体を覆うように巻き付けるのに比べ、ラップ４の節約に寄与することができる。さらに、ラップ４は、タイマー本体２の磁石２７を巻き付けていないので、ラップ４により磁石２７の吸着力が弱まることはない。仮に、ラップ４は、磁石２７を覆ったとしても、余ったラップ４を溝部３４に収容することができるので、余ったラップ４が溝部３４に収容されず磁石２７に巻き付けられる場合に比べ、磁石２７の吸着力が弱まることが防止される。
【００３９】
外套部３２は、その一端３２ａを中心として、通常状態（図５参照）と反転状態（図６参照）との間で反転可能に設けられる。すなわち、外套部３２は、通常状態において、その一端３２ａに対して背面側（図５の下側）に位置する他端３２ｂが一端３２ａを軸として正面側（図５の上側）にめくりあげることによって、反転状態になる。
【００４０】
外套部３２が反転した反転状態を維持する観点から、外套部３２は、収容部３１の外周面の１／２以上を覆うように構成されることが好ましく、収容部３１の外周面の４／５以上を覆うように構成されることがより好ましい。そして、外套部３２は、収容部３１の外周面の１／２未満を覆うように構成されると、外套部３２の反転状態を維持しにくくなり、外套部３２が通常状態に戻ってしまうおそれがある。
【００４１】
また、外套部３２の高さ（図４において、外套部３２の一端３２ａから外套部３２の他端３２ｂまでの高さ）は、ラップ４の素材の延伸しやすさとの関係で決定される。すなわち、外套部３２の高さが高過ぎると、外套部３２の反転には有利であるが、ラップ４が延伸する量が増え、ラップ４が切れてしまうおそれがある。このように、外套部３２の高さは、外套部３２の反転状態で静止できることと、ラップ４の素材の延伸しやすさとの関係で決定される。
【００４２】
本実施形態では、外套部３２は、収容部３１の外周面の一部を覆っているが、これに限定されるものではなく、例えば、収容部３１の外周面の全部を覆ってもよい。この場合、外套部３２は、その他端３２ｂが磁石２７の吸着端面２７ｂと同じ高さに位置するように設けられることが好ましい。これにより、タイマー１を磁石２７により金属製の壁等に吸着させて使用する際に、外套部３２の他端３２ｂは、壁に当接（密着）しているため、油等が溝部３４に入り込むことはない。
【００４３】
また、本実施形態では、図４に示すように、外套部３２は、収容部３１の高さ方向に沿う断面視にて外側に膨らむ円弧状に設けられているが、これに限定されるものではなく、例えば、収容部３１の高さ方向に沿う断面視にて直線状に設けられてもよい。なお、外套部３２の反転しやすさを向上させる観点から、環状の外套部３２の他端３２ｂに所定の間隔を空けて複数の切り込みを入れてもよい。さらに、外套部３２は、その高さが一定である必要がなく、例えば、その他端３２ｂの高さが変化する花びら形状をなしてもよい。
【００４４】
嵌合部３３は、収容部３１の一端３１ａに設けられる環状のリブ３５と、収容部３１の他端３１ｂに設けられる環状の返し部３６と、リブ３５及び返し部３６の間に設けられる環状のリブ３７と、を有する。環状のリブ３５、環状の返し部３６及び環状のリブ３７は、共に収容部３１の内周面から突出する。そして、リブ３５、返し部３６及びリブ３７は、それぞれ段差部２８、凹部２９及び溝部３０に嵌合することにより、タイマー本体２が確実に移動不能にカバー３の収容部３１に収容される。
【００４５】
本実施形態では、リブ３５は、環状をなしているが、これに限定されるものではなく、例えば、タイマー本体２の段差部２８に対応して、この環状に所定の間隔を空けて形成される複数の突起であってもよい。また、本実施形態では、返し部３６は、環状をなしているが、これに限定されるものではなく、例えば、タイマー本体２の凹部２９に対応して、この環状に所定の間隔を空けて形成される複数の返し部であってもよい。リブ３７は、環状をなしているが、これに限定されるものではなく、例えば、タイマー本体２の溝部３０に対応して、この環状に所定の間隔を空けて形成される複数の突起であってもよい。
【００４６】
（タイマーへのラップの貼り付け動作）
以下、図５から図８を参照しながら、タイマー１の正面をラップ４で貼り付ける動作について説明する。
【００４７】
図５は、外套部３２が通常状態にあるタイマー１を示す断面図である。図６は、外套部３２が反転状態にあるタイマー１を示す断面図である。図７は、ラップ４が載置された外套部３２が反転状態にあるタイマー１を示す断面図である。図８は、正面がラップ４で貼り付けられた状態のタイマー１を示す断面図である。
【００４８】
図５に示すように、通常状態において、外套部３２は、収容部３１の外周面の一部を覆っている。すなわち、通常状態において、収容部３１と外套部３２との間には、溝部３４が形成される。まず、外套部３２を、その一端３２ａを中心として、図５に示される矢印Ｒ１の方向（上方向）に沿って反転させると、図６に示すように、外套部３２が反転状態になる。反転状態において、外套部３２は、収容部３１の外周面の一部を覆わなくなる。すなわち、反転状態において、収容部３１と外套部３２との間には、溝部３４が形成されなくなる。
【００４９】
次に、図７に示すように、反転状態におけるタイマー１の上面に形成され環状の他端３２ｂ上にラップ４を載置してから、他端３２ｂとラップ４とが接触した状態を維持しながら外套部３２をその一端３２ａを中心として、図７に示される矢印Ｒ２の方向（下方向）に沿って反転させると、図８に示すように、外套部３２が通常状態に戻る。
【００５０】
そして、外套部３２が反転状態から通常状態に反転する過程において、外套部３２の他端３２ｂ上に載置されたラップ４は、延伸するように引っ張られながら、タイマー１の正面（タイマー本体２及びカバー３の正面）を覆っていく。これにより、タイマー１の正面を覆うラップ４に皺が生じにくくなる。
【００５１】
また、外套部３２が反転状態から通常状態に反転する際に、外套部３２は、その円弧状の復元力を利用して、ラップ４を延伸するように引っ張るので、タイマー１の正面をラップ４でより綺麗に貼り付けることができる。
【００５２】
図６に示すように、反転状態にある外套部３２により取り囲まれた領域Ｐは、収容空間として使用されてもよい。なお、外套部３２の反転しやすさを確保するために、ラップ４の硬度をカバー３の硬度よりも小さくすることが好ましい。
【００５３】
上述のように、収容部３１の内周面は、傾斜したタイマー本体２の側面２３に対応して一端３１ａから他端３１ｂに向かって内側に傾斜するように設けられる。このため、外套部３２を通常状態から反転状態に反転させる際に、カバー３に収容部３１の他端３１ｂ側が広がる力がかかったとしても、タイマー本体２が収容部３１の他端３１ｂ側から抜けにくくなる。
【００５４】
このように、反転状態にある外套部３２にラップ４を載置させてから、外套部３２を、その一端３２ａを中心として通常状態に反転させるだけで、タイマー１の正面をラップ４で容易に素早くかつ綺麗に貼り付けることができる。その結果、タイマー１の美観性が向上するとともにタイマー本体２における表示部２５の視認性が担保される。また、ラップ４の端部が溝部３４に収容されるので、ラップ４の端部が溝部３４に収容されない場合に比べ、タイマー１の美観性がさらに向上する。
【００５５】
次に、本実施形態による作用効果について説明する。
【００５６】
本実施形態に係るカバー３は、タイマー本体２を収容するための筒状の収容部３１と、収容部３１の外周面の一部を覆うように収容部３１の外周面に設けられる外套部３２と、を備える。そして、外套部３２は、その一端３２ａが収容部３１の外周面に接続されるとともに、他端３２ｂが収容部３１の外周面から離間するように構成され、収容部３１の外周面と外套部３２の内周面との間には、溝部３４が形成される。
【００５７】
この構成によれば、収容部３１の外周面と外套部３２の内周面との間に形成される溝部３４は、タイマー１の正面を覆うラップ４の端部を収容するための収容空間として機能する。ラップ４をタイマー１の正面に貼り付ける際に、ラップ４の端部を溝部３４に収容することにより、タイマー本体２にラップ４を容易に被せることができる。さらに、タイマー１の正面がラップ４により覆われるので、タイマー１の正面への油汚れが防止される。
【００５８】
また、本実施形態では、外套部３２は、可撓性を有し、その一端３２ａを中心として反転可能に設けられる。この構成によれば、カバー３の正面を覆うラップ４に皺が生じにくくなり、カバー３の正面をラップ４で容易に素早くかつ綺麗に貼り付けることができる。
【００５９】
また、本実施形態では、外套部３２の一端３２ａは、収容部３１の一端３１ａにおいて接続される。この構成によれば、ラップ４と外套部３２との間に段差を生じさせることなく、カバー３の正面をラップ４で綺麗に貼り付けることができる。
【００６０】
また、本実施形態では、外套部３２は、収容部３１の外周面の１／２以上を覆うように構成される。この構成によれば、外套部３２が反転した反転状態を維持することができる。
【００６１】
また、本実施形態では、外套部３２は、収容部３１の高さ方向に沿う断面視にて外側に膨らむ円弧状に設けられる。この構成によれば、外套部３２が反転状態から通常状態に反転する際に、外套部３２は、その円弧状の復元力を利用して、ラップ４を延伸するように引っ張るので、タイマー１の正面をラップ４でより綺麗に貼り付けることができる。
【００６２】
また、本実施形態では、カバー３は、シリコーン樹脂からなる。この構成によれば、カバー３の全体を容易に洗うことができ、食材等に触れる可能性がある場所でも安心して使用することができる。
【００６３】
本実施形態に係るタイマー１は、上述したカバー３と、カバー３の収容部３１に収容されるタイマー本体２と、を備える。そして、タイマー本体２は、収容部３１により覆われない正面２１及び背面２２と、収容部３１により覆われる側面２３と、を有する。
【００６４】
この構成によれば、溝部３４は、タイマー１の正面を覆うラップ４の端部を収容するための収容空間として機能する。ラップ４をタイマー１の正面に貼り付ける際に、ラップ４の端部を溝部３４に収容することにより、タイマー本体２にラップ４を容易に被せることができる。さらに、タイマー１の正面がラップ４により覆われるので、タイマー１の正面への油汚れが防止される。
【００６５】
また、本実施形態では、タイマー本体２は、電池を用いて作動する電気機器からなり、タイマー本体２の正面２１には、操作ボタン２６ａ，２６ｂ，２６ｃが設けられ、収容部３１は、その一端３１ａが操作ボタン２６ａ，２６ｂ，２６ｃの先端面と面一となるように設けられる。この構成によれば、タイマー１の正面をラップ４で覆うときに、操作ボタン２６ａ，２６ｂ，２６ｃがラップ４に押されて、タイマー本体２が誤操作されることを防止することができる。
【００６６】
また、本実施形態では、タイマー本体２の背面２２には、磁石２７が設けられ、外套部３２は、その他端３２ｂが磁石２７の吸着端面２７ｂと同じ高さに位置するように設けられる。この構成によれば、タイマー１を磁石２７により金属製の壁等に吸着させて使用する際に、外套部３２の他端３２ｂは、壁に当接（密着）しているため、油等が溝部３４に入り込むことはない。
【００６７】
また、本実施形態では、タイマー本体２は、電池を用いて作動する電気機器からなり、タイマー本体２の側面２３には、開閉可能な電池蓋が設けられる。この構成によれば、カバー３の収容部３１が側面２３に設けられる電池蓋を覆うことにより、電池蓋の密閉性を向上させることができ、電池蓋から浸水することが防止される。
【００６８】
本実施形態に係るタイマー本体２は、環状の収容部３１と、収容部３１の内周面に設けられる嵌合部３３と、を備えるカバー３に着脱可能に収容されるものであって、収容部３１により覆われない正面２１及び背面２２と、収容部３１により覆われる側面２３と、嵌合部３３に嵌合する被嵌合部２４と、を有する。
【００６９】
この構成によれば、タイマー本体２の被嵌合部２４は、カバー３の嵌合部３３に嵌合するので、タイマー本体２が移動不能にカバー３の収容部３１に収容される。
【００７０】
また、本実施形態では、被嵌合部２４は、正面２１と側面２３との境目に形成される段差部２８を有する。この構成によれば、段差部２８を利用してカバー３の嵌合部３３に嵌合することで、タイマー本体２の被嵌合部２４とカバー３の嵌合部３３との嵌合が実現される。
【００７１】
（変形例）
以下、図９から図１２を参照しながら、各変形例に係るタイマー１について説明する。なお、各変形例では、上記実施形態と同様の点については、説明を省略し、上述した実施形態と主に異なる点について説明する。
【００７２】
図９は、第１変形例に係るタイマー１の断面図である。図１０は、第２変形例に係るタイマー１の正面図である。図１１は、第３変形例に係るタイマー１の正面図である。図１２は、第４変形例に係るタイマー１の正面図である。
【００７３】
上記実施形態では、タイマー本体２の被嵌合部２４は、凹部２９を有しているが、これに限定されるものではなく、例えば、凹部２９の代わりに、図９に示すように、背面２２の外縁と磁石２７との高低差により形成される第２段差部としての環状（具体的には、略正方形環状）の段差部２９ａを有してもよい。この場合、嵌合部３３は、返し部３６の代わりに段差部２９ａに嵌合する環状のリブ３６ａを有する。
【００７４】
この構成によれば、背面２２の外縁に特別な形状（例えば、凹部）を設けることなく、背面２２の外縁よりも内側に位置する磁石２７を利用するだけで、環状の段差部２９ａを容易に形成することができる。したがって、タイマー本体２を容易に製造することができる。
【００７５】
また、上記実施形態では、タイマー１は、その外形が正面視にて略正方形をなしているが、これに限定されるものではなく、例えば、三角形、矩形（図１０参照）、五角形等の多角形をなしてもよいし、円形（図１１参照）又は楕円形（図１２参照）等をなしてもよい。
【００７６】
また、上記実施形態では、タイマー本体２とカバー３とは、その外形が正面視にて一致しているが、これに限定されるものではなく、例えば、図１１に示すように異なってもよい。
【００７７】
また、上記実施形態では、タイマー本体２は、カバー３に着脱可能に収容されているが、これに限定されるものではなく、例えば、カバー３に着脱不能に収容されてもよい。すなわち、タイマー本体２及びカバー３は、一体形成される。
【００７８】
さらに、タイマー本体２及びカバー３は、収容部３１の一端３１ａ及び他端３１ｂのいずれか一方において接続（例えば、接着又は溶着）されるように一体形成される場合、タイマー本体２に対して収容部３１の一端３１ａ及び他端３１ｂのいずれか他方をめくりあげることができるので、タイマー本体２の側面２３に電池蓋が設けられたとしても、電池の交換等を行うことができる。
【００７９】
さらに、タイマー本体２及びカバー３は、側面２３の全体と収容部３１の内周面とが接続されるように一体形成される場合、電池蓋は、磁石２７と干渉しないようにタイマー本体２の背面２２に設けられる。
【００８０】
また、上記実施形態では、タイマー本体２は、その側面２３全体が収容部３１の内周面に接触するようにカバー３に収容されているが、これに限定されるものではなく、例えば、その側面２３の一部のみが収容部３１の内周面に接触するようにカバー３に収容されてもよい。すなわち、カバー３の収容部３１は、タイマー本体２の少なくとも一部を収容するものであればよい。
【００８１】
また、本実施形態では、カバー３の収容部３１の他端３１ｂには、タイマー本体２の背面２２の外縁に形成される略正方形環状の凹部２９に嵌合する略正方形環状の返し部３６が設けられているが、これに限定されるものではなく、例えば、略正方形環状の返し部３６と、タイマー本体２の背面２２にせり出すように略正方形環状の返し部３６の四隅に位置する抜け防止部とが設けられてもよい。この場合、カバー３の外套部３２を反転させる際に、タイマー本体２が抜け防止部により収容部３１の他端３１ｂ側から抜けにくくなる。
【００８２】
（参考例）
以下、参考例１及び参考例２に係るカバー付きタイマーを物品とする意匠について説明する。なお、本物品は、音で経過の時間をユーザに報知するカバー付きタイマーである。具体的には、本物品は、カバーと、カバーに着脱可能に収容されるタイマー本体と、を備える。なお、参考例２では、タイマー本体は、カバーに着脱不能に収容されてもよい。
【００８３】
（参考例１）
上記実施形態では、タイマーは、正面視にて略矩形をなしていが、これに限定されるものではなく、例えば、図１３のように円形をなしてもよい。図１３は、参考例１に係る物品としてのカバー付きタイマーの意匠を示す図である。より詳細には、図１３（ａ）から図１３（ｆ）は、当該カバー付きタイマーの形態を、正投影図法により各図同一縮尺で作成した正面図、背面図、左側面図、右側面図、上面図、及び底面図で表したものである。なお、底面図（図１３（ｆ））は上面図（図１３（ｅ））に対して対称形又は同一形である。また、右側面図（図１３（ｄ））は左側面図（図１３（ｃ））に対して対称形又は同一形である。
【００８４】
また、図１４は、図１３（ａ）におけるＡ−Ａ線に沿う拡大断面図である。図１５は、参考例１に係るカバー付きタイマーの意匠の斜視図である。より詳細には、図１５Ａは、カバー付きタイマーの意匠の正面斜視図であり、図１５Ｂは、カバー付きタイマーの意匠の背面斜視図である。図１６は、参考例１に係るカバー付きタイマーのカバーの意匠の斜視図である。より詳細には、図１６Ａは、カバー付きタイマーのカバーの意匠の正面斜視図であり、図１６Ｂは、カバー付きタイマーのカバーの意匠の背面斜視図である。図１７は、参考例１に係るカバー付きタイマーのタイマー本体の意匠の斜視図である。より詳細には、図１７Ａは、カバー付きタイマーのタイマー本体の意匠の正面斜視図であり、図１７Ｂは、カバー付きタイマーのタイマー本体の意匠の背面斜視図である。
【００８５】
なお、図１３（ａ）、図１５Ａ及び図１７Ａに示され、タイマー本体の正面に設けられる表示部及び操作ボタンの数、形状や配置パターンは、一例に過ぎず、これに限定されるものではない。
【００８６】
（参考例２）
図１８は、参考例２に係る物品としてのカバー付きタイマーの意匠を示す図である。より詳細には、図１８（ａ）から図１８（ｆ）は、当該カバー付きタイマーの形態を、正投影図法により各図同一縮尺で作成した正面図、背面図、左側面図、右側面図、上面図、及び底面図で表したものである。なお、底面図（図１８（ｆ））は上面図（図１８（ｅ））に対して対称形又は同一形である。また、右側面図（図１８（ｄ））は左側面図（図１８（ｃ））に対して対称形又は同一形である。また、図１９は、参考例２に係るカバー付きタイマーの意匠の斜視図である。
【００８７】
なお、図１８（ａ）に示され、タイマー本体の正面に設けられる表示部及び操作ボタンの数、形状や配置パターンは、一例に過ぎず、これに限定されるものではない。
【符号の説明】
【００８８】
１  タイマー
２  タイマー本体
３  カバー
４  ラップ
２１  正面
２２  背面
２３  側面
２４  被嵌合部
２６  操作部
２７  磁石
３１  収容部
３２  外套部
３３  嵌合部
３４  溝部
【図１】
2020202291.tif 000003
【図２】
2020202291.tif 000004
【図３】
2020202291.tif 000005
【図４】
2020202291.tif 000006
【図５】
2020202291.tif 000007
【図６】
2020202291.tif 000008
【図７】
2020202291.tif 000009
【図８】
2020202291.tif 000010
【図９】
2020202291.tif 000011
【図１０】
2020202291.tif 000012
【図１１】
2020202291.tif 000013
【図１２】
2020202291.tif 000014
【図１３】
2020202291.tif 000015
【図１４】
2020202291.tif 000016
【図１５Ａ】
2020202291.tif 000017
【図１５Ｂ】
2020202291.tif 000018
【図１６Ａ】
2020202291.tif 000019
【図１６Ｂ】
2020202291.tif 000020
【図１７Ａ】
2020202291.tif 000021
【図１７Ｂ】
2020202291.tif 000022
【図１８】
2020202291.tif 000023
【図１９】
2020202291.tif 000024